(57)【要約】      （修正有）【課題】帯状体からなる粘着シートをその長手方向のどの位置においても簡単に切断できるようにし、物品を収納させた複数の包装体を部分的に重なるように配列させて粘着シートにより連結させる場合に、粘着シートの貼付位置を正確に調整しなくても、粘着シートを適切な位置で切断させて、各包装体を簡単に分離できるようにする。【解決手段】物品を収納させた複数の包装体２０を部分的に重なるように配列させて粘着シート１０により連結させるにあたり、帯状体からなるシート基材１１の片面に粘着剤層１２が設けられた粘着シート１０であって、シート基材の少なくとも一方の長辺縁部が凹凸状に形成されると共にその凹部１１ｂに切断用切込み１３が形成されたものを用いた。【選択図】図７
0003133271.tif 000002
【実用新案登録請求の範囲】
【請求項１】
帯状体からなるシート基材の片面に粘着剤層が設けられた粘着シートにおいて、上記のシート基材の少なくとも一方の長辺縁部が凹凸状に形成されると共に、その凹部に切断用切込みが形成されていることを特徴とする粘着シート。
【請求項２】
請求項１に記載した粘着シートにおいて、上記のシート基材の両側の長辺縁部が凹凸状に形成されると共に、その凹部に切断用切込みが形成されていることを特徴とする粘着シート。
【請求項３】
請求項１又は請求項２に記載した粘着シートにおいて、上記の凹凸状に形成される長辺縁部における凸部の頂部が円弧状に形成されていることを特徴とする粘着シート。
【請求項４】
請求項１〜請求項３の何れか１項に記載した粘着シートにおいて、上記のシート基材に延伸処理されたフィルムを用いたことを特徴とする粘着シート。
【請求項５】
物品を収納させた複数の包装体が部分的に重なるように配列されると共に、この複数の包装体を連結するように粘着シートを貼付させた包装体の連結構造物において、上記の請求項１〜請求項４の何れか１項に記載した粘着シートを用いて複数の包装体を連結させたことを特徴とする包装体の連結構造物。
【考案の詳細な説明】
【技術分野】
【０００１】
この考案は、帯状体からなるシート基材の片面に粘着剤層が設けられた粘着シート及び物品を収納させた包装体を部分的に重なるように配列された複数の包装体を粘着シートによって連結させた包装体の連結構造物に関するものであり、帯状体からなる粘着シートを適当な位置において簡単に切断できるようにし、複数の包装体を粘着シートによって連結させた包装体の連結構造物から各包装体を簡単に適切な位置で分離できるようにした点に特徴を有するものである。
【背景技術】
【０００２】
従来より、ハム等の物品をプラスチックフィルム等の包装材料で包装した包装体を複数まとめて販売するにあたり、このような包装体を部分的に重なるようにして複数配列させ、このように配列された複数の包装体を粘着シートによって連結させることが行われている。
【０００３】
ここで、このように配列された複数の包装体を粘着シートによって連結させたものから各包装体内に収容されたハム等の食品を取り出すにあたっては、粘着シートによって連結された各包装体を分離させることが必要になる。
【０００４】
そして、従来においては、上記のように粘着シートによって連結された各包装体を分離させるにあたり、複数の包装体を連結させた粘着シートを簡単に切断できるようにするため、粘着シートに様々な工夫が行われている。
【０００５】
例えば、特許文献１に示されるように、粘着シートの縁部に複数条の短尺切込み線が一方向に配列された破断開始部を粘着シートの長手方向に適当な間隔で複数設け、この破断開始部が包装体相互を連結させる連結部分に位置するようにして、複数の包装体をこの粘着シートによって連結させたものや、特許文献２に示されるように、複数条の短尺切込み線が一方向に配列されて粘着シートの幅方向全長に至る破断部を粘着シートの長手方向に適当な間隔で複数設け、この破断部が包装体相互を連結させる連結部分に位置するようにして、複数の包装体をこの粘着シートによって連結させたものや、特許文献３に示されるように、接着剤層が設けられていない所要幅の非接着領域を粘着シートの長手方向に適当な間隔で複数設けると共に、この非接着領域にミシン目やＶ字カット等による切断容易部を形成し、上記の非接着領域が包装体相互を連結させる連結部分に位置するようにして、複数の包装体をこの粘着シートによって連結させたものが提案されている。
【０００６】
しかし、上記の特許文献１〜３に示されるものにおいては、破断開始部や破断部や非接着領域が包装体相互を連結させる連結部分に位置するようにして、粘着シートを正確に複数の包装体に貼付させることが必要になり、粘着シートを貼付させる作業が非常に面倒になるという問題があり、また粘着シートが正確な位置に貼付されないと、粘着シートを適切な位置で切断させて、各包装体を適切に分離させることが困難になるという問題があった。
【特許文献１】実用新案登録第３１２４５３９号公報
【特許文献２】特開２００４−２４０３５３号公報
【特許文献３】特許第３５６４０４８号公報
【考案の開示】
【考案が解決しようとする課題】
【０００７】
この考案は、粘着シート及び物品を収納させた包装体を部分的に重なるように配列された複数の包装体をこの粘着シートによって連結させる場合における上記のような問題を解決することを課題とするものである。
【０００８】
この考案においては、帯状体からなる粘着シートをその長手方向のどのような位置においても簡単に切断できるようにし、上記のように物品を収納させた複数の包装体を粘着シートによって連結させた場合に、粘着シートを貼付させる位置を正確に調整しなくても、粘着シートを適切な位置で切断させて、各包装体を簡単に適切な位置で分離できるようにすることを課題とするものである。
【課題を解決するための手段】
【０００９】
この考案における粘着シートにおいては、上記のような課題を解決するため、帯状体からなるシート基材の片面に粘着剤層が設けられた粘着シートにおいて、上記のシート基材の少なくとも一方の長辺縁部を凹凸状に形成すると共に、その凹部に切断用切込みを形成した。
【００１０】
そして、この粘着シートにおいては、上記のシート基材の両側の長辺縁部を凹凸状に形成し、その凹部に切断用切込みを形成することが好ましく、また上記の凹凸状に形成された長辺縁部における凸部の頂部を円弧状に形成することが好ましい。
【００１１】
また、この粘着シートにおいては、上記のシート基材に延伸処理されたフィルムを用いることが好ましい。
【００１２】
そして、この考案における包装体の連結構造物においては、上記のような課題を解決するため、物品を収納させた複数の包装体を部分的に重なるように配列させ、この複数の包装体を連結するように粘着シートを貼付させるにあたり、上記のような粘着シートを用いた。
【考案の効果】
【００１３】
この考案においては、帯状体からなるシート基材の片面に粘着剤層が設けられた粘着シートにおいて、シート基材の少なくとも一方の長辺縁部を凹凸状に形成し、その凹部に切断用切込みを形成したため、この粘着シートを切断させる場合に、凹部に形成された上記の切断用切込みの部分に力が集中して、粘着シートが簡単に切断されるようになる。
【００１４】
また、この粘着シートにおいて、上記のシート基材の両側の長辺縁部を凹凸状に形成し、その凹部に切断用切込みを形成すると、この粘着シートをその幅方向両側の何れの方向からも簡単に切断できるようになる。
【００１５】
また、この粘着シートにおいて、凹凸状に形成される長辺縁部における凸部の頂部を円弧状に形成すると、この粘着シートを貼付させたり、切断させたりする場合において、この粘着シートの長辺縁部に指等が触れて傷ついたりするのが防止される。
【００１６】
また、この粘着シートにおけるシート基材に延伸処理されたフィルムを用いると、この粘着シートを切断させる際に、粘着シートが伸びるのが抑制されて、粘着シートをより簡単に切断できるようになる。
【００１７】
また、この考案における包装体の連結構造物においては、上記のように物品を収納させた複数の包装体を部分的に重なるように配列させ、この複数の包装体を連結するのに上記の粘着シートを用いたため、粘着シートを貼付させる位置を正確に調整しなくても、この粘着シートの長辺縁部の適当な位置において、この粘着シートを簡単に切断させて、各包装体を簡単に適切な位置で分離させることができるようになる。
【考案を実施するための最良の形態】
【００１８】
以下、この考案の実施形態に係る粘着シート及び包装体の連結構造物を添付図面に基づいて具体的に説明する。なお、この考案に係る粘着シート及び包装体の連結構造物は、下記の実施形態に示したものに限定されるものではなく、その要旨を変更しない範囲において適宜変更して実施できるものである。
【００１９】
この実施形態における粘着シート１０においては、図１（Ａ），（Ｂ）に示すように、帯状体からなるシート基材１１の片面に粘着剤層１２が設けられており、上記のシート基材１１の幅方向両側における長辺縁部を、それぞれ頂部が円弧状になった凸部１１ａと底部が円弧状になった凹部１１ｂとが交互に連続した波形状になった凹凸状に形成すると共に、各凹部１１ｂにそれぞれ凹部１１ｂの底部と連続する切断用切込み１３を形成している。
【００２０】
ここで、上記のシート基材１１の材料としては、ポリプロピレン，ポリエチレン，ポリエチレンテレフタレート等の一般的に使用されている公知のプラスチックフィルムを用いることができ、特に、この粘着シート１０を簡単に切断できるようにするためには、上記のプラスチックフィルムを延伸処理させたものを用いることが好ましい。
【００２１】
また、この粘着シート１０をラベル等として使用する場合には、上記のシート基材１１に各種の印刷を行うようにする。
【００２２】
そして、この粘着シート１０においては、上記のようにシート基材１１の幅方向両側における長辺縁部を凹凸状に形成し、各凹部１１ｂに切断用切込み１３を形成しているため、この粘着シート１０をその幅方向両側の何れの方向からも簡単に切断できるようになると共に、長辺縁部における凸部１１ａの頂部を円弧状に形成しているため、この粘着シート１０の長辺縁部に指等が触れて傷ついたりするのが防止される。
【００２３】
なお、この実施形態における粘着シート１０においては、シート基材１１の幅方向両側における長辺縁部をそれぞれ凹凸状に形成し、両側の長辺縁部における各凹部１１ｂにそれぞれ切断用切込み１３を形成するようにしたが、図２に示すように、シート基材１１の幅方向片側における長辺縁部だけを凹凸状に形成し、この片側の長辺縁部における各凹部１１ｂに切断用切込み１３を形成することも可能である。
【００２４】
さらに、この実施形態における粘着シート１０においては、シート基材１１の長辺縁部を凹凸状に形成するにあたり、頂部が円弧状になった凸部１１ａと底部が円弧状になった凹部１１ｂとが交互に連続した波形状になるようにしたが、長辺縁部に形成する凹凸形状はこのようなものに限定されない。
【００２５】
例えば、図３に示すように、シート基材１１の長辺縁部を、頂部が円弧状になった凸部１１ａと底部が角状になった凹部１１ｂとが交互に連続した凹凸状に形成し、上記の角状になった各凹部１１ｂの底部と連続する切断用切込み１３を形成することも可能である。
【００２６】
そして、このようにシート基材１１の長辺縁部を、頂部が円弧状になった凸部１１ａと底部が角状になった凹部１１ｂとが交互に連続した凹凸状に形成すると、上記のように凸部１１ａの頂部が円弧状になっているため、この粘着シート１０の長辺縁部に指等が触れて傷ついたりするのが防止されると共に、この粘着シート１０を切断する際に、凹部１１ｂに形成された切断用切込み１３に力がさらに集中しやすくなり、粘着シート１０をさらに簡単に切断できるようになる。
【００２７】
また、長尺の帯状体からなる粘着シート１０をロール状に巻回して使用するにあたっては、図４に示すように、シート基材１１の片面に設けられた上記の粘着剤層１２に剥離シート１４を貼付させるようにし、或いは、図５に示すように、上記のシート基材１１における粘着剤層１２と反対側の面に、この粘着剤層１２との接着性が低いシリコン樹脂等によるコート層１５を設けるようにする。
【００２８】
ここで、上記の図４に示すように粘着剤層１２に剥離シート１４を貼付させた粘着シート１０をロール状に巻回させた場合には、ロール状に巻回された粘着シート１０から上記の剥離シート１４を剥離させながら巻き戻すようにし、また図５に示すようにシート基材１１における粘着剤層１２と反対側の面にコート層１５を設けた粘着シート１０をロール状に巻回させた場合には、コート層１５に仮着された粘着剤層１２をコート層１５から剥すようにして、ロール状に巻回された粘着シート１０を巻き戻すようにし、このように巻き戻した粘着シート１０を適当な長さに切断させて、以下に示す複数の包装体の連結等、様々な用途に用いるようにする。
【００２９】
次に、物品が収納された複数の包装体２０を上記の粘着シート１０を用いて連結させた実施形態を添付図面に基づいて説明する。
【００３０】
ここで、この実施形態においては、上記の包装体２０として、図６（Ａ），（Ｂ）に示すように、２枚のプラスチックシート２１，２２間の中央部にスライスハム等の物品２３を挟み込み、その周囲をヒートシールして封止させ、中央の収容部２４にスライスハム等の物品２３を収容させた扁平状のものを用いている。
【００３１】
そして、この実施形態においては、図７に示すように、上記の収容部２４が上に位置するようにして、複数（図に示す例では３つ）の包装体２０を部分的に重なるように配列させ、上記の粘着シート１０の長辺縁部がこのように配列された複数の包装体２０の配列方向に沿うようにして、この粘着シート１０を配列された各包装体２０の上に貼付させ、これらの包装体２０を上記の粘着シート１０によって連結させている。
【００３２】
なお、図７に示した実施形態においては、収容部２４が突出された複数の包装体２０の表面側において、上記の粘着シート１０をこれらの各包装体２０に跨るように貼付させたが、複数の包装体２０の裏面側において、上記の粘着シート１０をこれらの各包装体２０に跨るように貼付させたり、複数の包装体２０の表面側と裏面側とにおいて、それぞれ上記の粘着シート１０をこれらの各包装体２０に跨るように貼付させたり、上記の粘着シート１０を複数の包装体２０の表面側から裏面側に連続してこれらの各包装体２０に跨るようにして貼付させることも可能である。
【００３３】
そして、上記のようにして複数の包装体２０を上記の粘着シート１０によって連結させると、上記の粘着シート１０を複数の包装体２０に対して貼付させる位置を正確に位置決めしなくても、上記の粘着シート１０の長辺縁部に形成された適当な位置における凹部１１ｂに設けられた切断用切込み１３により、この粘着シート１０を簡単かつ適切に切断させて、各包装体１０を適切に分離させることができるようになる。
【図面の簡単な説明】
【００３４】
【図１】この考案の実施形態に係る粘着シートを示し、（Ａ）は概略平面図、（Ｂ）は概略断面図である。
【図２】上記の実施形態に係る粘着シートにおいて、シート基材の幅方向片側における長辺縁部だけを凹凸状に形成した第１の変更例に係る粘着シートを示した概略平面図である。
【図３】上記の実施形態に係る粘着シートにおいて、シート基材の長辺縁部に形成する凹凸形状を変更させた第２の変更例に係る粘着シートを示した概略平面図である。
【図４】上記の実施形態に係る粘着シートにおいて、シート基材の片面に設けられた粘着剤層に剥離シートを貼付させた状態を示した概略断面図である。
【図５】上記の実施形態に係る粘着シートにおいて、シート基材における粘着剤層と反対側の面に、この粘着剤層との接着性が低いコート層を設けた状態を示した概略断面図である。
【図６】上記の実施形態に係る粘着シートによって連結させる物品を収納させた包装体の例を示し、（Ａ）は概略断面図、（Ｂ）は概略平面図である。
【図７】上記の実施形態に係る粘着シートを用いて物品を収納させた複数の包装体を連結させた包装体の連結構造物の概略平面図である。
【符号の説明】
【００３５】
１０  粘着シート
１１  シート基材
１１ａ  凸部
１１ｂ  凹部
１２  粘着剤層
１３  切断用切込み
１４  剥離シート
１５  コート層
２０  包装体
２１，２２  プラスチックシート
２３  物品
２４  収容部
【図１】
0003133271.tif 000003
【図２】
0003133271.tif 000004
【図３】
0003133271.tif 000005
【図４】
0003133271.tif 000006
【図５】
0003133271.tif 000007
【図６】
0003133271.tif 000008
【図７】
0003133271.tif 000009